【手続補正書】
【提出日】平成19年6月15日(2007.6.15)
【手続補正１】
【補正対象書類名】明細書
【補正対象項目名】特許請求の範囲
【補正方法】変更
【補正の内容】
【特許請求の範囲】
【請求項１】（ａ）ポリフェニレンスルフィド樹脂１００重量部に対し、（ｂ）オレフィン系（共）重合体を５〜１５重量部、（ｃ）無機フィラーを２０〜９０重量部配合してなるポリフェニレンスルフィド樹脂組成物であって、（ｂ）オレフィン系（共）重合体として、（ｂ）’α−オレフィン、α，β−不飽和カルボン酸アルキルエステル及びエポキシ基含有ビニルモノマーを、α−オレフィンとα，β−不飽和カルボン酸アルキルエステルの合計に対してα−オレフィン５２〜９５重量％とα，β−不飽和カルボン酸アルキルエステル５〜４８重量％の共重合比率で、かつα−オレフィンとα，β−不飽和カルボン酸アルキルエステルとの合計８５〜９９．５重量％に対し、エポキシ基含有ビニルモノマー０．５〜１５重量％の共重合比率で共重合してなるエポキシ基含有オレフィン系共重合体を必須成分として含有することを特徴とするポリフェニレンスルフィド樹脂組成物。
【請求項２】（ｃ）無機フィラーとして、繊維状フィラーと非繊維状フィラーを少なくとも各１種以上を含有すること特徴とする請求項１記載のポリフェニレンスルフィド樹脂組成物。
【請求項３】（ｃ）無機フィラーとして、繊維状フィラーと非繊維状フィラーを少なくとも各１種以上含有し、かつ繊維状フィラー／非繊維状フィラー重量比が、１／３〜３／１であることを特徴とする請求項２記載のポリフェニレンスルフィド樹脂組成物。
【請求項４】非繊維状フィラーとしてガラス質の非繊維状無機フィラーを用いることを特徴とする請求項１〜３いづれか記載のポリフェニレンスルフィド樹脂組成物。
【請求項５】（ａ）ポリフェニレンスルフィド樹脂として、実質的に直鎖状のポリフェニレンスルフィド樹脂を用いることを特徴とする請求項１〜４いづれか記載のポリフェニレンスルフィド樹脂組成物。
【請求項６】（ａ）ポリフェニレンスルフィド樹脂として、溶融粘度（３１０℃、剪断速度１，０００／秒）が１００〜４００Ｐａ・ｓのポリフェニレンスルフィド樹脂を用いることを特徴とする請求項１〜５いづれか記載のポリフェニレンスルフィド樹脂組成物。
【請求項７】更に（ｄ）エポキシ基、アミノ基、ウレイド基、イソシアネート基から選ばれる官能基を有するアルコキシシラン化合物を、（ａ）ポリフェニレンスルフィド樹脂１００重量部に対し、０．１〜５重量部配合することを特徴とする請求項１〜６いづれか記載のポリフェニレンスルフィド樹脂組成物。
【請求項８】更に（ｅ）１分子中にエポキシ基を２個以上有する多官能エポキシ化合物を、（ａ）ポリフェニレンスルフィド樹脂１００重量部に対し、０．１〜５重量部配合することを特徴とする請求項１〜７いづれか記載のポリフェニレンスルフィド樹脂組成物。
【請求項９】（ａ）ポリフェニレンスルフィド樹脂１００重量部に対し、（ｂ）オレフィン系（共）重合体を５〜１５重量部、（ｃ）無機フィラーを２０〜９０重量部配合してなるポリフェニレンスルフィド樹脂組成物であって、（ｂ）オレフィン系（共）重合体として、少なくとも１種のエポキシ基含有オレフィン系共重合体を含有することを特徴とする円筒部分を有する射出成形体用のポリフェニレンスルフィド樹脂組成物。
【請求項１０】円筒部分を有する射出成形体用である請求項１〜８いづれか記載のポリフェニレンスルフィド樹脂組成物。
【請求項１１】請求項９または１０記載のポリフェニレンスルフィド樹脂組成物を射出成形してなる、円筒部分を有する成形体。
【手続補正２】
【補正対象書類名】明細書
【補正対象項目名】０００７
【補正方法】変更
【補正の内容】
【０００７】
すなわち本発明は以下の各項から構成されるものである。
１．（ａ）ポリフェニレンスルフィド樹脂１００重量部に対し、（ｂ）オレフィン系（共）重合体を５〜１５重量部、（ｃ）無機フィラーを２０〜９０重量部配合してなるポリフェニレンスルフィド樹脂組成物であって、（ｂ）オレフィン系（共）重合体として、（ｂ）’α−オレフィン、α，β−不飽和カルボン酸アルキルエステル及びエポキシ基含有ビニルモノマーを、α−オレフィンとα，β−不飽和カルボン酸アルキルエステルの合計に対してα−オレフィン５２〜９５重量％とα，β−不飽和カルボン酸アルキルエステル５〜４８重量％の共重合比率で、かつα−オレフィンとα，β−不飽和カルボン酸アルキルエステルとの合計８５〜９９．５重量％に対し、エポキシ基含有ビニルモノマー０．５〜１５重量％の共重合比率で共重合してなるエポキシ基含有オレフィン系共重合体を必須成分として含有することを特徴とするポリフェニレンスルフィド樹脂組成物。
２．（ｃ）無機フィラーとして、繊維状フィラーと非繊維状フィラーを少なくとも各１種以上を含有すること特徴とする上記１記載のポリフェニレンスルフィド樹脂組成物。
３．（ｃ）無機フィラーとして、繊維状フィラーと非繊維状フィラーを少なくとも各１種以上含有し、かつ繊維状フィラー／非繊維状フィラー重量比が、１／３〜３／１であることを特徴とする上記２項記載のポリフェニレンスルフィド樹脂組成物。
４．非繊維状フィラーとしてガラス質の非繊維状無機フィラーを用いることを特徴とする請求項１〜３いづれか記載のポリフェニレンスルフィド樹脂組成物。
５．（ａ）ポリフェニレンスルフィド樹脂として、実質的に直鎖状のポリフェニレンスルフィド樹脂を用いることを特徴とする上記１〜４項いづれか記載のポリフェニレンスルフィド樹脂組成物。
６．（ａ）ポリフェニレンスルフィド樹脂として、溶融粘度（３１０℃、剪断速度１，０００／秒）が１００〜４００Ｐａ・ｓのポリフェニレンスルフィド樹脂を用いることを特徴とする上記１〜５項いづれか記載のポリフェニレンスルフィド樹脂組成物。
７．更に（ｄ）エポキシ基、アミノ基、ウレイド基、イソシアネート基から選ばれる官能基を有するアルコキシシラン化合物を、（ａ）ポリフェニレンスルフィド樹脂１００重量部に対し、０．１〜５重量部配合することを特徴とする上記１〜６項いづれか記載のポリフェニレンスルフィド樹脂組成物。
８．更に（ｅ）１分子中にエポキシ基を２個以上有する多官能エポキシ化合物を、（ａ）ポリフェニレンスルフィド樹脂１００重量部に対し、０．１〜５重量部配合することを特徴とする上記１〜７項いづれか記載のポリフェニレンスルフィド樹脂組成物。
９．（ａ）ポリフェニレンスルフィド樹脂１００重量部に対し、（ｂ）オレフィン系（共）重合体を５〜１５重量部、（ｃ）無機フィラーを２０〜９０重量部配合してなるポリフェニレンスルフィド樹脂組成物であって、（ｂ）オレフィン系（共）重合体として、少なくとも１種のエポキシ基含有オレフィン系共重合体を含有することを特徴とする円筒部分を有する射出成形体用のポリフェニレンスルフィド樹脂組成物。
１０．円筒部分を有する射出成形体用である上記１〜８項いづれか記載のポリフェニレンスルフィド樹脂組成物。
１１．上記９または１０項記載のポリフェニレンスルフィド樹脂組成物を射出成形してなる、円筒部分を有する成形体。
【手続補正３】
【補正対象書類名】明細書
【補正対象項目名】００３６
【補正方法】変更
【補正の内容】
【００３６】
本発明では、（ｂ）オレフィン系（共）重合体として、（ｂ）’α−オレフィンとα，β−不飽和カルボン酸アルキルエステル及びエポキシ基含有ビニルモノマーを共重合してなるエポキシ基含有オレフィン系共重合体が用いられ、共重合比率が、α−オレフィンとα，β−不飽和カルボン酸アルキルエステルの合計に対してα−オレフィン５２〜９５重量％とα，β−不飽和カルボン酸アルキルエステル５〜４８重量％であり、かつ、（ｂ）’エポキシ基含有オレフィン系共重合体中、α−オレフィンとα，β−不飽和カルボン酸アルキルエステル合計８５〜９９．５重量％に対し、エポキシ基含有ビニルモノマー０．５〜１５重量％であるエポキシ基含有オレフィン系共重合体が用いられる。更に好ましくは共重合比率が、α−オレフィンとα，β−不飽和カルボン酸アルキルエステルの合計に対してα−オレフィン６０〜８５重量％とα，β−不飽和カルボン酸アルキルエステル１５〜４０重量％であり、かつ、（ｂ）’エポキシ基含有オレフィン系共重合体中α−オレフィンとα，β−不飽和カルボン酸アルキルエステル合計８５〜９９．５重量％に対し、エポキシ基含有ビニルモノマー０．５〜１５重量％であるエポキシ基含有オレフィン系共重合体が挙げられる。
【手続補正４】
【補正対象書類名】明細書
【補正対象項目名】００３７
【補正方法】変更
【補正の内容】
【００３７】
かかる（ｂ）’エポキシ基含有オレフィン系共重合体のモノマー成分であるα−オレフィンの具体例としては、エチレン、プロピレン、ブテン−１、４−メチルペンテン−１、ヘキセン−１、デセン−１、オクテン−１などが挙げられ、中でもエチレンが好ましく用いられる。またこれらは２種以上を同時に使用することもできる。
【手続補正５】
【補正対象書類名】明細書
【補正対象項目名】００３８
【補正方法】変更
【補正の内容】
【００３８】
また（ｂ）’エポキシ基含有オレフィン系共重合体のもう一つのモノマー成分である、α,β−不飽和カルボン酸アルキルエステルとしては、炭素数３〜８個の不飽和カルボン酸、例えばアクリル酸、メタアクリル酸等のアルキルエステルであって、具体的にはアクリル酸メチル、アクリル酸エチル、アクリル酸ｎ−プロピル、アクリル酸イソプロピル、アクリル酸ｎ−ブチル、アクリル酸ｔ−ブチル、アクリル酸イソブチル、アクリル酸ヘキシル、メタクリル酸メチル、メタクリル酸エチル、メタクリル酸ｎ−プロピル、メタクリル酸イソプロピル、メタクリル酸ｎ−ブチル、メタクリル酸ｔ−ブチル、メタクリル酸イソブチル、メタクリル酸ヘキシルなどが例示でき、これらのうちアクリル酸メチル、メタクリル酸メチル、アクリル酸エチル、メタクリル酸エチル、アクリル酸ｎ−ブチル、メタクリル酸ｎ−ブチルが好ましく用いられる。またこれらは２種以上を同時に使用することもできる。
【手続補正６】
【補正対象書類名】明細書
【補正対象項目名】００３９
【補正方法】変更
【補正の内容】
【００３９】
また（ｂ）’エポキシ基含有オレフィン系共重合体のモノマー成分である、エポキシ基含有ビニルモノマーとしては、α，β−不飽和酸のグリシジルエステル、グリシジルエーテルなどが例示でき、特に下記一般式で示されるα，β−不飽和酸のグリシジルエステル
【手続補正７】
【補正対象書類名】明細書
【補正対象項目名】００８４
【補正方法】変更
【補正の内容】
【００８４】
実施例３〜１１、比較例４（ａ）ＰＰＳ樹脂、（ｂ）オレフィン系共重合体、および（ｃ）フィラーを表１に示す割合でドライブレンドしたのち、シリンダー温度２８０℃（ホッパー側）〜３２０℃（先端側）に設定した２軸押出機で溶融混練し、ストランドカッターによりペレット化し、１２０℃で１晩乾燥した。かかるペレットを用い、テストピースウェルド強度、円筒ウェルド強度、曲げ強度を測定した。結果を表１および表２に示す。
【手続補正８】
【補正対象書類名】明細書
【補正対象項目名】００８６
【補正方法】変更
【補正の内容】
【００８６】
【表２】
2002003716.tif 000001